(57)【要約】【課題】原稿搬送装置を有する画像読取装置において、原稿の裏写りを防止し、かつゴミ検知を可能とする。【解決手段】光源からの光を原稿の読取り領域に照射して、原稿の画像を読取る画像読取装置において、透明部材、及びその中心部に原稿及び流し読みプラテンガラスを透過して、画像読取部に光を照射する手段により構成された原稿読取位置に対向する原稿押さえローラを設け、前記原稿押さえローラを原稿背面に位置させて原稿の画像を読取ることを特徴とする。【選択図】　　　　図１
2004129141.tif 000002
【特許請求の範囲】
【請求項１】
原稿搬送装置を有する画像読取装置において、
透明部材で構成され、原稿読取位置に対向する原稿押さえローラを有し、
前記原稿押さえローラの中心に原稿及び流し読みプラテンガラスを透過して、画像読取部に光を照射する光照射手段を備えていることを特徴とする画像読取装置。
【請求項２】
前記原稿押さえローラの中心に原稿、及び流し読みプラテンガラスを透過して、画像読取部に光を照射する手段が、発光体であることを特徴とする画像読取装置。
【請求項３】
前記原稿押さえローラの中心に原稿及び流し読みプラテンガラスを透過して、画像読取部に光を照射する手段が、原稿走査用ランプからの光を反射する、反射部材（白色部材）であることを特徴とする画像読取装置。
【請求項４】
請求項２において、原稿読取り時に前記原稿押さえローラの中心の発光体を消灯し、プラテンガラス上のゴミを検出するゴミ検知時に、前記原稿押さえローラの中心の発光体を点灯することを特徴とする画像読取装置。
【請求項５】
請求項３において、前記原稿読取時の前記原稿走査用ランプの光量を第１の光量、前記ゴミ検知時の前記原稿走査用ランプの光量を前記第１の光量より大きい第２の光量とし、前記第１の光量、第２の光量に変更できる光量調整機能を備えた原稿走査用ランプを有する画像読取装置。
【請求項６】
請求項３において、前記原稿読取時の画像データの振幅を決定するゲインを第１のゲイン、前記ゴミ検知時の画像データの振幅を決定するゲインを前記第１のゲインよりも大きい第２のゲインとし、前記第１のゲイン、第２のゲインを切り換え可能とすることを特徴とする画像読取装置。
【発明の詳細な説明】
【０００１】
【発明の属する技術分野】
本発明は、裏面に画像がある原稿でも裏写りすることなく読取ることができ、さらにはプラテンガラス上のゴミを検出可能とする画像読取装置に関する。
【０００２】
【従来の技術】
近年、資源の有効活用・情報の圧縮を目的として、複写機やプリンタ等の出力には、両面印字が一般的に行われている。一方、イメージスキャナ、複写機あるいはファクシミリ等の画像読取装置において、両面印字された原稿、特に比較的薄手な用紙に記録された両面原稿の画像を読取ろうとすると、裏側の画像が透けて混入してしまう“裏写り”という不都合が発生することがある。
【０００３】
そこで、このような裏写りを防止するために従来の画像読取装置は、原稿を読取り位置に搬送する搬送ベルトを光反射率の高い白色領域と、光反射率の低い黒色領域とで構成している。そして、両面に画像を有する原稿を読取る場合には、原稿読取り位置に背景ベルトの黒色領域を位置させ、原稿裏面全体を黒色領域で覆い、裏面画像が透けるのを防止している。
【０００４】
【発明が解決しようとする課題】
しかしながら、このような方法では読取りを行う原稿面の裏面全域の背景色を切り換えるようにしているため、搬送ベルトの背景色の部分は読取るべき原稿の原稿サイズに合致した大きさにしなければならず、搬送ベルトが大きくならざるを得ない。
【０００５】
また原稿搬送機能と原稿読取り時の背景色を原稿読取り位置に合致させる機能とを持たないとならないため、搬送ベルト部分の機構が複雑になってしまう欠点がある。
【０００６】
従って本発明は、従来技術の問題を解決するためになされたもので、背景色の切り替え機構をもたず、原稿押さえローラの表面を透明にすることにより、原稿押さえローラ面での反射を低減し裏写りを防止し、かつ原稿押さえローラ内に原稿及び流し読みプラテンガラスを透過して、画像読取部に光を照射する手段を備えていることでゴミ検知をも可能とすることを目的とする。
【０００７】
また、読取り手段が固定され、原稿が搬送されながら読取り手段を通過する際に画像を読取る形式の画像読取装置に適用する画像読取装置を提供することを別の目的とする。
【０００８】
【課題を解決するための手段】
上記目的を達成するために、請求項１記載の画像読取装置は、原稿搬送装置を有する画像読取装置において、透明部材で構成され、原稿読取位置に対向する原稿押さえローラを有し、前記原稿押さえローラの中心に原稿及び流し読みプラテンガラスを透過して、画像読取部に光を照射する光照射手段を備えていることを特徴とする。
【０００９】
請求項２記載の画像読取装置は、前記原稿押さえローラの中心に原稿、及び流し読みプラテンガラスを透過して、画像読取部に光を照射する手段が、発光体であることを特徴とする。
【００１０】
請求項３記載の画像読取装置は、前記原稿押さえローラの中心に原稿及び流し読みプラテンガラスを透過して、画像読取部に光を照射する手段が、原稿走査用ランプからの光を反射する、反射部材（白色部材）であることを特徴とする。
【００１１】
請求項４記載の画像読取装置は、請求項２において、原稿読取り時に前記原稿押さえローラの中心の発光体を消灯し、プラテンガラス上のゴミを検出するゴミ検知時に前記原稿押さえローラの中心の発光体を点灯することを特徴とする。
【００１２】
請求項５記載の画像読取装置は、請求項３において、前記原稿読取時の前記原稿走査用ランプの光量を第１の光量、前記ゴミ検知時の前記原稿走査用ランプの光量を前記第１の光量より大きい第２の光量とし、前記第１の光量、第２の光量に変更できる光量調整機能を備えた原稿走査用ランプを有することを特徴とする。
【００１３】
請求項６記載の画像読取装置は、請求項３において、前記原稿読取時の画像データの振幅を決定するゲインを第１のゲイン、前記ゴミ検知時の画像データの振幅を決定するゲインを前記第１のゲインよりも大きい第２のゲインとし、前記第１のゲイン、第２のゲインを切り換え可能とすることを特徴とする。
【００１４】
【発明の実施の形態】
本発明による画像読取装置の実施の形態、およびその方法について説明する。図１は画像読取装置の構成を示す図である。画像読取装置は、イメージリーダ部２００と、イメージリーダ部２００上部に位置する、開閉可能な原稿搬送装置１００から構成される。
【００１５】
原稿搬送装置１００では、上方に配置された積載トレイ１０１上に積載された原稿が、順次その最上紙から一枚毎に分離給紙され、イメージリーダ部２００の流し読み位置である流し読みプラテンガラス（プラテン）に搬送される。流し読みプラテン（ガラス）上を搬送しながら原稿の画像を読み込み、該画像の読み込みが終了すると排紙トレイ１０２に排紙積載される。なお、この原稿搬送装置１００の詳細については後述する。
【００１６】
イメージリーダ部２００は、原稿に記録された画像情報を光学的に読取り、光電変換をして画像データとして入力するものであり、流し読みプラテン２０１、ブックプラテン２０３、原稿走査用ランプ２０９とミラー２０４を有するスキャナユニット２１０、ミラー２０５，２０６、レンズ２０７、イメージセンサ２０８等を有している。原稿搬送装置１００を使用して原稿を読み込む際にはスキャナユニット２１０を読取位置Ｒ１に停止して、流し読みプラテン２０１上を移動する原稿の画像を読み込み、原稿搬送装置１００を使用しない場合は、プラテン２０３に載置される原稿の画像をスキャナユニット２１０の移動により読み込む。
【００１７】
次に、原稿搬送装置１００について詳しく説明する。本実施系に係る原稿搬送装置１００は、片面に画像情報を有する原稿を搬送しつつその画像情報を読取る片面読取モードと、両面に画像情報を有する原稿を搬送しつつその画像情報を読取る両面読取モードを有する。以下、各読取モードの説明を搬送原稿の流れに沿って簡単に説明する。
【００１８】
まず、原稿搬送装置１００の概略構成の簡単説明と合わせて、片面読取モード時の片面原稿の流れを簡単に説明する。
【００１９】
図１に示すように、原稿搬送装置１００は、積載手段としての積載トレイ１０１を有し、該積載トレイ１０１の面上に原稿を積載する。
【００２０】
原稿搬送装置１００の原稿給紙部では、繰り出し手段としての給紙ローラ１０３が積載トレイ１０１上に積載された原稿束を分離部１０４へ引き込み、該分離部を構成する給送手段としての分離ローラ１０４により原稿束の最上紙を一枚ずつ分離し、引き抜きローラ１０５ａ，１０５ｂによりレジストローラ１０６ａ，１０６ｂへと搬送する。レジストローラ１０６ａ，１０６ｂは原稿先端の到着時には停止しており、引き抜きローラ１０５ａ，１０５ｂによる搬送でループを形成して斜行補正をした後に、後述の原稿搬送部へ搬送する。
【００２１】
原稿搬送装置１００の原稿搬送部では、前述の原稿給紙部より搬送された原稿を第１のリードローラ１０９ａ，１０９ｂとリードコロ１１２ａ、リードコロ１１２ｂによって、流し読みプラテン２０１と原稿押さえローラ１０８との間を所定の速度で搬送していく。この時、流し読みプラテン２０１上の読取位置Ｒ１の下に露光装置であるスキャナユニット２１０が固定されており、読取動作を行う。
原稿搬送装置１００の原稿排紙部では、第２のリードローラ１１０ａ，１１０ｂ、排反ローラ１０７ａ，１０７ｂにより排紙トレイ１０２上へ裏面排出する。
【００２２】
尚、図１において、Ｓ１０１は原稿の先端及び後端を検知することにより原稿サイズを検出するサイズ検知センサ、Ｓ１０２は原稿の先端を検知してイメージリーダ部２００に知らせるリードセンサ、Ｓ１０３は原稿の先端及び後端を検知する排反センサである。
【００２３】
次に、両面読取モード時の両面原稿の流れを簡単に説明する。
【００２４】
まず積載トレイ１０１に積載された原稿は、前記原稿給紙部により一枚ずつ分離され、前記原稿搬送部へと搬送される。前記原稿搬送部では片面時と同様に流し読みプラテン２０１と原稿押さえローラ１０８との間を所定の速度で搬送していく。この時、流し読みプラテン２０１上の読取位置Ｒ１の下に露光装置であるスキャナユニット２１０が固定されており、１枚目である表面の読取動作を行う。
【００２５】
そして、前記原稿の後端が排紙センサＳ１０３を通過した後、排反ローラ１０７ａ，１０７ｂが逆転し、原稿の排紙方向とは逆方向に位置する前記原稿搬送部のレジストローラ１０６ａ，１０６ｂへ第３のリードローラ１１１ａ，１１１ｂによって原稿をスイッチバックして搬送する。レジストローラ１０６ａ，１０６ｂは原稿先端の到着時には停止しており、第３のリードローラ１１１ａ，１１１ｂの駆動によりループを形成し、両面時の斜行補正を行い、前記原稿搬送部へ搬送する。
【００２６】
前記原稿搬送部では、１面目である表面と同様にして２面目である裏面の読取動作を行った後、前記原稿排紙部へ原稿を搬送する。
【００２７】
前記原稿排紙部では、本実施形態の原稿搬送装置１００の構成上、２面目である裏面を読み込んだ後に原稿がフェイスアップ状態（１面目である表面が装置上方を向いている状態）になり、排紙される原稿の順序が狂ってしまうため、即ち積載トレイ１０１にページ順に積載された原稿が排紙トレイ１０２上においてそのページ順が狂ってしまうため、再反転を行う必要がある。そのため、原稿排紙部では、前記原稿の後端が排紙センサＳ１０３を通過した後、排反ローラ１０７ａ，１０７ｂが逆転し、再び原稿を前記原稿搬送部の方向へ搬送する。この時、原稿搬送部では裏面排紙を行うために原稿面の反転動作しか行わないため、レジストローラ１０６ａ，１０６ｂでは斜行補正を行わない。
【００２８】
原稿搬送部を通過した原稿は、再度原稿排紙部へ搬送され、第２のリードローラ１１０ａ，１１０ｂ、排反ローラ１０７ａ，１０７ｂにより排紙トレイ１０２上に裏面排紙される。これにより、原稿は、１面目である表面が装置下方を向いている状態であるフェイスダウン状態で排紙される。
【００２９】
次に、図２および図３に示す原稿押さえローラ１０８について詳しく説明する。原稿押さえローラ１０８は、請求項１で述べたように原稿押さえローラ１０８の中心に原稿及び流し読みプラテン２０１を透過して、画像読取部に光を照射する手段１０８ｂ，１０８ｃと透明部材１０８ａから構成される。
【００３０】
前記透明部材１０８ａは透過率８０％以上を有するアクリル、ＡＢＳ等の材料を用いることが望ましいが、原稿走査用ランプの光量調整等により、必ずしもその限りではない。
【００３１】
前記透明部材１０８ａの表面での光の拡散性に関しては、ある所定値以下（例えば５％以下）に設定する必要がある。
【００３２】
また図２に示す前記画像読取部に光を照射する手段１０８ｂは、光を発光する発光体により構成される。破線は前記原稿読取時における光路を示し、実線は前記ゴミ検知時における光路を示す。
【００３３】
図３に示す前記画像読取部に光を照射する手段１０８ｃは、原稿走査用ランプ２０９の光を反射し、ゴミによる反射光量と十分Ｓ／Ｎが取れるような反射部材（白色部材）により構成される。破線は前記原稿読取時における光路を示し、実線は前記ゴミ検知時における光路を示す。
【００３４】
（第１の実施例）
図４は本発明の図２に示す発光体１０８ｂを用いた実施形態における、フローチャートである。
【００３５】
ステップＳ１で原稿を前記原稿積載トレイ１０１に積載し、ステップＳ２で前記原稿積載トレイ上に積載された該原稿を給紙及び分離する。
【００３６】
ステップＳ３では、前記給紙及び分離の完了した原稿が前記サイズ検知センサＳ１０１を通過した際に、前記原稿押さえローラ１０８の前記発光体１０８ｂが点灯する（図２実線の光路）。
【００３７】
ステップＳ４において、前記流し読みプラテン２０１上、または前記原稿押さえローラ１０８上に存在するゴミを検知するゴミ検知動作を開始する。
【００３８】
ステップＳ５の前記リードセンサがＯＮの状態になった時、ステップＳ６に示す前記原稿押さえローラ１０８の前記発光体１０８ｂを消灯し、ゴミ検知動作を終了する。
【００３９】
ステップＳ７において、前記ゴミ検知動作Ｓ４でゴミ有りと判断された場合、ステップＳ８に示すゴミ補正処理を起動し、ステップＳ９に示す画像読取を行う。前記ゴミ検知動作Ｓ４でゴミなしと判断された場合、そのまま前記ステップＳ９に示す画像読取を行う。
【００４０】
ステップＳ８に示すゴミ補正処理は、原稿を読取った画像において、ゴミ有りと判断された画素に対し、左右の画素データから補間する等の画像処理と、原稿読取位置Ｒ１を移動する処理とが考えられる。
【００４１】
ステップＳ９では、図２の破線で示すような原稿からの反射光路により画像を読取る画像読取を行い、前記画像読取が終了すると、ステップＳ１０に示す片面原稿、または両面原稿２枚目か判断し、片面または両面原稿２枚目の場合はステップＳ１１に示す排紙処理を行い、両面原稿１枚目の場合は前記ステップＳ３に示す前記原稿押さえローラ１０８の前記発光体１０８ｂを点灯させゴミ検知動作を開始する。
【００４２】
図６は本発明の第１の実施例における画像読取装置のブロック図である。
【００４３】
ＣＰＵ１は前記ゴミ検知時にサイズ検知センサ６からの信号を受け、原稿走査用ランプ制御部２、原稿押さえローラ内の発光体制御部６に、原稿走査用ランプ、及び発光体点灯信号を送り、前記原稿走査用ランプ、及び前記発光体を点灯させる。イメージセンサ３から取得される画像信号のアナログデータはＡ／Ｄコンバータ４でデジタルデータに変換された後、ゴミが検出された場合は画像処理部５において画像処理（ゴミ補正処理）が行われる。
【００４４】
その後、ＣＰＵ１はリードセンサからの信号を受け、前記原稿押さえローラ内の発光体制御部６に発光体消灯信号を送り、前記発光体を消灯させ、該原稿の画像読取を開始する。
【００４５】
（第２，３の実施例）
図５は本発明の図３に示す反射部材（白色部材）１０８ｃを用いた実施形態における、フローチャートである。
【００４６】
ステップＳ２１で原稿を前記原稿積載トレイ１０１上に積載し、ステップＳ２２で前記原稿積載トレイ上に積載された該原稿を給紙及び分離する。
【００４７】
ステップＳ２３では、前記給紙及び分離の完了した原稿が前記サイズ検知センサＳ１０１を通過した際に、前記原稿走査用ランプ２０９の光量をアップしゴミ検知用光量に設定するか、前記ゴミ検知時の画像データの振幅を決定するゲインに設定する。
【００４８】
ステップＳ２４において、前記流し読みプラテン２０１上、または前記原稿押さえローラ１０８上に存在するゴミを検知するゴミ検知動作を開始する（図３実線の光路）。
【００４９】
ステップＳ２５の前記リードセンサがＯＮの状態になった時、ステップＳ２６に示す前記原稿走査用ランプ２０９の光量をダウンし原稿読取用光量に設定するか、前記原稿読取時の画像データの振幅を決定するゲインに設定し、ゴミ検知動作を終了する。
【００５０】
ステップＳ２７において、前記ゴミ検知動作Ｓ２４でゴミ有りと判断された場合、ステップＳ２８に示す前述の処理と同様の処理を行うゴミ補正処理を起動し、ステップＳ２９に示す画像読取を行う。前記ゴミ検知動作Ｓ２４でゴミなしと判断された場合、そのまま前記ステップＳ２９に示す画像読取を行う。
【００５１】
ステップＳ２９に示す画像読取が終了すると、ステップＳ３０に示す片面原稿、または両面原稿２枚目か判断し、片面または両面原稿２枚目の場合はステップＳ３１に示す排紙処理を行い、両面原稿１枚目の場合は前記ステップＳ２３に示す前記原稿走査用ランプ２０９の光量をアップしゴミ検知用光量に設定するか、前記ゴミ検知時の画像データの振幅を決定するゲインに設定しゴミ検知動作を開始する。
【００５２】
図７は本発明の第２，３の実施例における画像読取装置のブロック図である。
【００５３】
（第２の実施例）
ＣＰＵ１は前記ゴミ検知時にサイズ検知センサ６からの信号を受け、原稿走査用ランプ制御部２に原稿走査用ランプの光量をゴミ検知用光量に設定する信号を送り、原稿走査用ランプの光量をゴミ検知用光量に設定する。イメージセンサ３から取得される画像信号のアナログデータはＡ／Ｄコンバータ４でデジタルデータに変換された後、ゴミが検出された場合は画像処理部５において画像処理（ゴミ補正処理）が行われる。
【００５４】
その後、ＣＰＵ１はリードセンサからの信号を受け、前記原稿走査用ランプ制御部２に原稿走査用ランプの光量を原稿読取用光量に設定する信号を送り、原稿走査用ランプの光量を下げ原稿読取用光量に設定し、該原稿の画像読取を開始する。
【００５５】
（第３の実施例）
ＣＰＵ１は前記ゴミ検知時にサイズ検知センサ６からの信号を受け、原稿走査用ランプ制御部２に原稿走査用ランプを点灯する信号を送り、原稿走査用ランプを点灯させ、かつ予め用意されているゴミ検知画像データの振幅を決定するゴミ検知用ゲインに設定する。イメージセンサ３から取得される画像信号のアナログデータはＡ／Ｄコンバータ４でデジタルデータに変換された後、ゴミが検出された場合は画像処理部５において画像処理（ゴミ補正処理）が行われる。
【００５６】
その後、ＣＰＵ１はリードセンサからの信号を受け、予め用意されている原稿画像データの振幅を決定する原稿画像読取用ゲインに設定し、該原稿の画像読取を開始する。
【００５７】
【発明の効果】
以上説明したように、原稿画像読取時には原稿押さえローラの透明部材により、原稿押さえローラ表面での反射光量が減少し、裏写りを防止することができる。
【００５８】
また請求項１記載の原稿押さえローラの中心に原稿及び流し読みプラテンガラスを透過して、画像読取部に光を照射する手段により、ゴミ検知も可能としている。
【００５９】
さらに本発明は、原稿押さえローラを透明部材と原稿押さえローラの中心に原稿及び流し読みプラテンガラスを透過して画像読取部に光を照射（反射）する手段を設ければよいので、極めて簡単な構成により実現できる。
【図面の簡単な説明】
【図１】本発明の画像読取装置の構成図。
【図２】本発明の原稿押さえローラの構成図。
【図３】本発明の原稿押さえローラの構成図。
【図４】本発明の第１の実施例における画像読取装置のフローチャート。
【図５】本発明の第２，３の実施例における画像読取装置のフローチャート。
【図６】本発明の第１の実施例における画像読取装置のブロック図。
【図７】本発明の第２，３の実施例における画像読取装置のブロック図。
【符号の説明】
Ｒ１　原稿読取位置
１００　原稿搬送装置
１０１　積載トレイ
１０２　排紙トレイ
１０３　給紙ローラ
１０４　分離ローラ
１０５ａ，ｂ　引き抜きローラ
１０６ａ，ｂ　レジストローラ
１０７ａ，ｂ　排反ローラ
１０８　原稿押さえローラ
１０９ａ，ｂ　第１のリードローラ
１１０ａ，ｂ　第２のリードローラ
１１１ａ，ｂ　第３のリードローラ
１１２ａ，ｂ　リードコロ
２００　イメージリーダ部
２０１　流し読みプラテン
２０２　ジャンプ台
２０３　ブックプラテン
２０４，２０５，２０６　ミラー
２０７　レンズ
２０８　イメージセンサ
２０９　原稿走査用ランプ
２１０　スキャナユニット
Ｓ１０１　サイズ検知センサ
Ｓ１０２　リードセンサ
Ｓ１０３　排反センサ
【図１】
2004129141.tif 000003
【図２】
2004129141.tif 000004
【図３】
2004129141.tif 000005
【図４】
2004129141.tif 000006
【図５】
2004129141.tif 000007
【図６】
2004129141.tif 000008
【図７】
2004129141.tif 000009